(57)【特許請求の範囲】
【請求項１】
１つの排気口と少なくとも１つの吸込口を有し、ファンとＤＣモータの作動に応じダクトを介して前記吸込口から空気を吸込んで前記排気口から吸込んだ空気を外部に排出する換気扇において、前記吸込口の開口面積が調整できる電動ダンパと、前記電動ダンパの動きを調整するダンパ角度調整手段と、前記ＤＣモータの印加電圧を調整する電圧調整手段と、前記ＤＣモータの回転数を検知する回転数検知手段とを備え、前記電動ダンパによって前記吸込口の開口面積を調節し、前記電動ダンパを全閉にし、かつ、前記電圧調整手段によって所定の電圧を前記ＤＣモータに印加し、前記回転数検知手段によって検出したある幅をもった回転数によって区分けをして決定するＤＣモータランクの選別を行うＤＣモータランク選別手段を備え、ある幅をもった回転数によって区分けをしたＤＣモータランクの選別後電圧調整手段によってＤＣモータの性能のばらつきに影響されることなく風量を制御し、ＤＣモータの印加電圧と回転数の組合せのデータテーブルを記憶したテーブル記憶手段と、前記ＤＣモータの印加電圧を検知する電圧検知手段と、風量を設定する風量設定手段とを備え、前記電圧検知手段で検知しながら電圧調整手段により所定の電圧を前記ＤＣモータに印加し、そのときの回転数を、回転数検知手段によって検知し、電動ダンパで開口面積を調整しＤＣモータランクと設定風量に対応した前記印加電圧と前記回転数の前記データテーブルを、前記テーブル記憶手段を参照し、風量を前記設定風量に制御する風量一定制御手段とを備え、風量を一定に制御するものであって、前記テーブル記憶手段に記憶された１つの前記ＤＣモータランクにおける前記ＤＣモータの印加電圧と回転数の２次式で表すデータテーブルを基本に、印加電圧を代入して他のＤＣモータランクのＤＣモータの印加電圧と回転数のデータテーブルを算出するＤＣモータランク算出手段を備えたことを特徴とする換気扇の風量制御装置。
【請求項２】
１つの排気口と少なくとも１つの吸込口を有し、ファンとＤＣモータの作動に応じダクトを介して前記吸込口から空気を吸込んで前記排気口から吸込んだ空気を外部に排出する換気扇において、前記吸込口の開口面積が調整できる電動ダンパと、前記電動ダンパの動きを調整するダンパ角度調整手段と、前記ＤＣモータの印加電圧を調整する電圧調整手段と、前記ＤＣモータの回転数を検知する回転数検知手段とを備え、前記電動ダンパによって前記吸込口の開口面積を調節し、前記電動ダンパを全閉にし、かつ、前記電圧調整手段によって所定の電圧を前記ＤＣモータに印加し、前記回転数検知手段によって検出したある幅をもった回転数によって区分けをして決定するＤＣモータランクの選別を行うＤＣモータランク選別手段を備え、ある幅をもった回転数によって区分けをした前記ＤＣモータランクの選別後前記電圧調整手段によって前記ＤＣモータの性能のばらつきに影響されることなく風量を制御し、前記電動ダンパによって前記吸込口を全閉及び全開した状態で、前記ＤＣモータランクの選別を行ものであって、テーブル記憶手段に記憶された１つの前記ＤＣモータランクにおける前記ＤＣモータの印加電圧と回転数の２次式で表すデータテーブルを基本に、印加電圧を代入して他のＤＣモータランクのＤＣモータの印加電圧と回転数のデータテーブルを算出するＤＣモータランク算出手段を備えたことを特徴とする換気扇の風量制御装置。
【請求項３】
１つの排気口と少なくとも１つの吸込口を有し、ファンとＤＣモータの作動に応じダクトを介して前記吸込口から空気を吸込んで前記排気口から吸込んだ空気を外部に排出する換気扇において、前記吸込口の開口面積が調整できる電動ダンパと、前記電動ダンパの動きを調整するダンパ角度調整手段と、前記ＤＣモータの印加電圧を調整する電圧調整手段と、前記ＤＣモータの回転数を検知する回転数検知手段とを備え、前記電動ダンパによって前記吸込口の開口面積を調節し、前記電動ダンパを全閉にし、かつ、前記電圧調整手段によって所定の電圧を前記ＤＣモータに印加し、前記回転数検知手段によって検出したある幅をもった回転数によって区分けをして決定するＤＣモータランクの選別を行うＤＣモータランク選別手段を備え、ある幅をもった回転数によって区分けをした前記ＤＣモータランクの選別後前記電圧調整手段によってＤＣモータの性能のばらつきに影響されることなく風量を制御し、ＤＣモータの印加電圧と回転数の組合せのデータテーブルを記憶したテーブル記憶手段と、前記ＤＣモータの印加電圧を検知する前記電圧検知手段と、風量を設定する風量設定手段とを備え、前記電圧検知手段で検知しながら電圧調整手段により所定の電圧を前記ＤＣモータに印加し、そのときの回転数を、前記回転数検知手段によって検知し、前記電動ダンパで開口面積を調整し前記ＤＣモータランクと設定風量に対応した前記印加電圧と前記回転数の前記データテーブルを、前記テーブル記憶手段を参照し、風量を前記設定風量に制御する風量一定制御手段とを備え、風量を一定に制御し、電動ダンパによって吸込口を全閉及び全開した状態で、前記ＤＣモータランクの選別を行ものであって、前記テーブル記憶手段に記憶された１つの前記ＤＣモータランクにおけるＤＣモータの印加電圧と回転数の２次式で表すデータテーブルを基本に、印加電圧を代入して他のＤＣモータランクのＤＣモータの印加電圧と回転数のデータテーブルを算出するＤＣモータランク算出手段を備えたことを特徴とする換気扇の風量制御装置。
【請求項４】
温度を検知する温度センサを備え、温度によって変化するＤＣモータの印加電圧と回転数のデータテーブルを補正する温度補正手段をテーブル記憶手段に備えたことを特徴とする請求項１〜３のいずれかに記載の換気扇の風量制御装置。
【請求項５】
ＤＣモータランクの選別を開始するスイッチを備え、数秒間押し続けることによって前記ＤＣモータランクの選別を開始することを特徴とする請求項１〜４のいずれかに記載の換気扇の風量制御装置。
【請求項６】
ＤＣモータランク選別手段によって決定したＤＣモータランクを識別させることのできるＤＣモータランク識別手段を備えたことを特徴とする請求項１〜５のいずれかに記載の換気扇の風量制御装置。
【請求項７】
ＤＣモータランク識別手段にＬＥＤを用い、ＬＥＤの色、点滅、点灯、消灯によってＤＣモータのランク、および、ＤＣモータの選別の進行具合を識別できることを特徴とする請求項６記載の換気扇の風量制御装置。
【請求項８】
設定する風量より、１０ｍ3／ｈ大きい風量と１０ｍ3／ｈ少ない風量に設定する風量微調整手段を備えたことを特徴とする請求項１〜６のいずれかに記載の換気扇の風量制御装置。
【発明の詳細な説明】
【技術分野】
【０００１】
本発明は、複数の部屋の空気を外部に排出する換気扇の風量制御装置に関する。
【背景技術】
【０００２】
従来、この種の換気扇の風量制御装置は、各吸込口に対応した負荷量を検出し、その負荷量にもとづいて、定風量制御を行うものが知られている（例えば、特許文献１参照）。
【０００３】
以下、その換気扇の風量制御装置ついて、図１１を参照しながら説明する。
【０００４】
図１１に示すように、中間形ダクト用換気扇１０１の換気扇本体１０２の側壁に設けられた吸込口１０３、１０４を通じて異なる部屋の空気が排出される。吸込口１０３、１０４に設けられたダンパ１０５、１０６の開度に応じて各吸込口１０３、１０４の開口面積が調整される。ここで、ダンパ１０５を全開しかつダンパ１０６を全閉した状態で、換気扇本体１０２を一定の風量で運転する。このとき、換気扇本体１０２のファンモータは、吸込口１０３に対応した回転数となり、その回転数に基づいて、吸込口１０３に対応した換気扇本体１０２の負荷量検出することができる。
【特許文献１】特開平８−１５９５３２号公報
【発明の開示】
【発明が解決しようとする課題】
【０００５】
このような従来の換気扇の風量制御装置では、ファンモータに使用しているＤＣモータの製造における巻線抵抗、磁束の大きさ、センサ位置などの微小な違いによって、ＤＣモータの性能がばらつき、電圧調整をしての風量が制御しにくいという課題がある。
【０００６】
本発明は、このような従来の課題を解決するものであり、ＤＣモータの性能にばらつきがあっても、風量を制御することができる換気扇の風量制御装置を提供することを目的としている。
【課題を解決するための手段】
【０００７】
本発明の換気扇の風量制御装置は上記目的を達成するために、１つの排気口と少なくとも１つの吸込口を有し、ファンとＤＣモータの作動に応じダクトを介して前記吸込口から空気を吸込んで前記排気口から吸込んだ空気を外部に排出する換気扇において、前記吸込口の開口面積が調整できる電動ダンパと、前記電動ダンパの動きを調整するダンパ角度調整手段と、前記ＤＣモータの印加電圧を調整する電圧調整手段と、前記ＤＣモータの回転数を検知する回転数検知手段とを備え、前記電動ダンパによって前記吸込口の開口面積を調節し、少なくとも１つの静圧条件において、前記電圧調整手段によって所定の電圧を前記ＤＣモータに印加し、前記回転数検知手段によって検出した回転数によって決定するＤＣモータランクの選別を行うＤＣモータランク選別手段を備え、ＤＣモータランクの選別後電圧調整手段によって風量を制御することを特徴とするものである。
【０００８】
この手段により、ＤＣモータの性能にばらつきがあっても、風量を制御することができる換気扇の風量制御装置が得られる。
【０００９】
また、他の手段は、ＤＣモータの印加電圧と回転数の組合せのデータテーブルを記憶したテーブル記憶手段と、前記ＤＣモータの印加電圧を検知する電圧検知手段と、風量を設定する風量設定手段とを備え、電圧調整手段と回転数検知手段と前記テーブル記憶手段と前記電圧検知手段と電動ダンパを通じて、排気口から排気される風量が前記風量設定手段で設定される設定風量に制御できるよう風量を一定にする風量一定制御手段とを備え、風量を一定に制御することを特徴とするものである。
【００１０】
この手段により、設定した風量に風量を一定に制御することができる換気扇の風量制御装置が得られる。
【発明の効果】
【００１１】
本発明によれば、１つの排気口と少なくとも１つの吸込口を有し、ファンとＤＣモータの作動に応じダクトを介して前記吸込口から空気を吸込んで前記排気口から吸込んだ空気を外部に排出する換気扇において、前記吸込口の開口面積が調整できる電動ダンパと、前記電動ダンパの動きを調整するダンパ角度調整手段と、前記ＤＣモータの印加電圧を調整する電圧調整手段と、前記ＤＣモータの回転数を検知する回転数検知手段とを備え、前記電動ダンパによって前記吸込口の開口面積を調節し、少なくとも１つの静圧条件において、前記電圧調整手段によって所定の電圧を前記ＤＣモータに印加し、前記回転数検知手段によって検出した回転数によって決定するＤＣモータランクの選別を行うＤＣモータランク選別手段を備え、ＤＣモータランクの選別後電圧調整手段によって風量を制御することにより、性能のばらつきをもつ同仕様のＤＣモータの回転数によってＤＣモータランクを選別し、ＤＣモータランクに基づき風量を制御することができるという効果のある換気扇の風量制御装置を提供できる。
【００１２】
また、ＤＣモータの印加電圧と回転数の組合せのデータテーブルを記憶したテーブル記憶手段と、前記ＤＣモータの印加電圧を検知する電圧検知手段と、風量を設定する風量設定手段とを備え、電圧調整手段と回転数検知手段と前記テーブル記憶手段と前記電圧検知手段と電動ダンパを通じて、排気口から排気される風量が前記風量設定手段で設定される設定風量に制御できるよう風量を一定にする風量一定制御手段とを備え、風量を一定に制御することにより、各ＤＣモータランクに応じて、設定した風量に風量を一定に制御することができるという効果のある換気扇の風量制御装置を提供できる。
【発明を実施するための最良の形態】
【００１３】
本発明の換気扇の風量制御装置は、１つの排気口と少なくとも１つの吸込口を有し、ファンとＤＣモータの作動に応じダクトを介して前記吸込口から空気を吸込んで前記排気口から吸込んだ空気を外部に排出する換気扇において、前記吸込口の開口面積が調整できる電動ダンパと、前記電動ダンパの動きを調整するダンパ角度調整手段と、前記ＤＣモータの印加電圧を調整する電圧調整手段と、前記ＤＣモータの回転数を検知する回転数検知手段とを備え、前記電動ダンパによって前記吸込口の開口面積を調節し、少なくとも１つの静圧条件において、前記電圧調整手段によって所定の電圧を前記ＤＣモータに印加し、前記回転数検知手段によって検出した回転数によって決定するＤＣモータランクの選別を行うＤＣモータランク選別手段を備え、ＤＣモータランクの選別後電圧調整手段によって風量を制御することを特徴とするものであり、性能のばらつきをもつ同仕様のＤＣモータの回転数によってＤＣモータランクを選別し、ＤＣモータランクに基づき風量を制御することができるという作用を有する。
【００１４】
また、ＤＣモータの印加電圧と回転数の組合せのデータテーブルを記憶したテーブル記憶手段と、前記ＤＣモータの印加電圧を検知する電圧検知手段と、風量を設定する風量設定手段とを備え、電圧調整手段と回転数検知手段と前記テーブル記憶手段と前記電圧検知手段と電動ダンパを通じて、排気口から排気される風量が前記風量設定手段で設定される設定風量に制御できるよう風量を一定にする風量一定制御手段とを備え、風量を一定に制御することを特徴とするものであり、各ＤＣモータランクに応じて、設定した風量に風量を一定に制御することができるという作用を有する。
【００１５】
また、電動ダンパによって吸込口を全閉及び全開した状態で、ＤＣモータランクの選別を行うことを特徴とするものであり、同仕様のＤＣモータであってもトルクカーブの傾きによって微小に違う性能の違いを考慮して、より細かいＤＣモータランクの選別を行い、ＤＣモータランクに基づいた風量の制御を行うことができるという作用を有する。
【００１６】
また、テーブル記憶手段に記憶された１つのＤＣモータランクにおけるＤＣモータの印加電圧と回転数のデータテーブルを基本に、他のＤＣモータランクのＤＣモータの印加電圧と回転数のデータテーブルを算出するＤＣモータランク算出手段を備えたことを特徴とするものであり、各ＤＣモータランクの各設定風量に存在するＤＣモータの印加電圧と回転数のデータテーブルの数を軽減することができるという作用を有する。
【００１７】
また、温度を検知する温度センサを備え、温度によって変化するＤＣモータの印加電圧と回転数のデータテーブルを補正する温度補正手段をテーブル記憶手段に備えたことを特徴とするものであり、周囲温度を考慮したＤＣモータの印加電圧と回転数のデータテーブルに補正し、周囲温度を考慮した風量の制御を行うことができるという作用を有する。
【００１８】
また、ＤＣモータランクの選別を開始するスイッチを備え、数秒間押し続けることによって前記ＤＣモータランクの選別を開始することを特徴とするものであり、スイッチが誤って押されても、数秒間押しつづけない限りＤＣモータランクの選別を開始することはなく、誤作動を防止することができるという作用を有する。
【００１９】
また、ＤＣモータランク選別手段によって決定したＤＣモータランクを識別させることのできるＤＣモータランク識別手段を備えたことを特徴とするものであり、ＤＣモータのランクや不良品、規格外品、選別の進行具合が識別できるという作用を有する。
【００２０】
また、ＤＣモータランク識別手段にＬＥＤを用い、ＬＥＤの色、点滅、点灯、消灯によってＤＣモータのランク、および、ＤＣモータの選別の進行具合を識別できることを特徴とするものであり、一目で識別情報が認識できるという作用を有する。
【００２１】
また、設定する風量より、１０ｍ3／ｈ大きい風量と１０ｍ3／ｈ少ない風量に設定する風量微調整手段を備えたことを特徴とするものであり、設定風量より、１０ｍ3／ｈ大きい風量と１０ｍ3／ｈ少ない風量に微調整を行うことができるという作用を有する。
【００２２】
以下、本発明の実施の形態について、図面を参照にしながら説明をする。
【００２３】
（実施の形態１）
図１〜図３を用いて、１方向吸気の中間ダクト用換気扇に適用し、ＤＣモータの選別を一つの静圧条件において行ったときの形態について説明する。
【００２４】
図１に示すように、換気扇１の箱体上部に、ＤＣモータ２とＤＣモータ２と連動して動作するファン３が備えられ、給気グリル４を通りダクト６、７と排気口８を通じ、野外に排出される。また、吸込口５には、電動ダンパ９が備え付けられており、開口面積が調整できるようになっている。また、換気扇１の箱体の横内部には、電動ダンパ９の動きを制御する制御装置１０が備え付けられている。
【００２５】
ＤＣモータの選別の方法を、図２および図３を参照しながら説明する。
【００２６】
スイッチ２０を数秒間押し続けると、ＤＣモータランク選別手段２１はダンパ角度調整手段１９に命令を送り、電動ダンパ９を全閉にし、かつ、電圧調整手段１１よりＤＣモータ２に所定の電圧を印加する。そのときのＤＣモータ２の回転数Ｎを、回転数検知手段１４より検知する。このとき、回転数ＮがＮ１からＮ１’の間であれば、ＤＣモータランクＡのＤＣモータであるとＤＣモータランク選別手段２１が判断し、ＤＣモータランク識別手段としてのＬＥＤ２２にＤＣモータランク情報を与え、施工者はＤＣモータランクを認識できる。同様に、回転数ＮがＮ４からＮ４’の間であれば、ＤＣモータランクＤとＤＣモータランク選別手段２１が判断し、ＤＣモータランク識別手段としてのＬＥＤ２２にＤＣモータランク情報を与える。さらに、回転数Ｎが０のときはＤＣモータが規格外品もしくは不良品であるとＤＣモータランク選別手段２１が判断し、ＤＣモータランク識別手段としてのＬＥＤ２２にその情報が与えられる。よって、施工者は、換気扇にダクトを接続した後でも、電動ダンパを全閉下状態でＤＣモータの良否が確認できるので、換気扇自体の良否を施行した状態で容易に確認することができる。
【００２７】
上記のように、ＤＣモータランクとは、ある幅をもった回転数による区分けをしたものである。
【００２８】
なお、上記の回転数Ｎの分類は、Ｎ５〜Ｎ５’、Ｎ６〜Ｎ６’、等、増加してもよく、回転数Ｎの分類を細かくすることで、より細かくＤＣモータの選別を行うことができ、ＤＣモータの性能のばらつきに影響されることなく風量を制御することができる。
【００２９】
なお、電動ダンパ９で全閉すると記載したが、電動ダンパ９を用いず吸込口５をテープやパッキンなどを用いて塞いだり、排気口８をテープやパッキンなどで塞ぐ方法をとってもよい。
【００３０】
（実施の形態２）
ＤＣモータランクの選別後の風量を一定に制御することについて、図４を参照しながら説明する。
【００３１】
ＤＣモータランク選別手段２１でＤＣモータランクを選別後、ＤＣモータランクの情報を風量一定制御手段１３に与える。また、風量設定手段１８で設定された設定風量の情報は風量一定制御手段１３に与えられ、設定風量の情報により風量一定制御手段１３は、ダンパ角度調整手段１９に命令を送り、電動ダンパ９で開口面積を調整する。次に、風量一定制御手段１３は、ＤＣモータランクと設定風量に対応した印加電圧と回転数のデータテーブルを、テーブル記憶手段１５を参照し、風量を設定風量に制御する。
【００３２】
詳細な流れは、電圧検知手段１２で検知しながら電圧調整手段１１により所定の電圧をＤＣモータ２に印加する。そのときの回転数を、回転数検知手段１４によって検知する。次に、温度センサとしてのサーミスタ１６より周囲温度の情報から温度補正手段１７を用いて補正した回転数を、上記の過程で選別したＤＣモータランクと設定風量に対応した印加電圧と回転数のデータテーブルと比較する。所定の電圧を印加したことにおいて実際の回転数がデータテーブルの回転数に比べて大きいときは電圧調整手段１１により印加電圧を小さくし、実際の回転数がデータテーブルの回転数に比べて小さいときは電圧調整手段１１により印加電圧を大きくする。また、実際の回転数がデータテーブルの回転数と比べて同じであるときは、印加電圧は変化させない。そのサイクルを続けることによりデータテーブルと同じ印加電圧と回転数の組合せにたどり着くこととなり、施工した現場の負荷量（据付条件）において設定風量を満足することとなる。また、温度補正を行うことで、周囲温度によって変化する印加電圧と回転数のデータテーブルを補正することができ、周囲温度によらず設定風量に風量を一定に制御することが可能となる。
【００３３】
なお、ＤＣモータランクとは、ある幅をもった回転数による区分けをしたものである。
【００３４】
（実施の形態３）
２つの静圧条件においてＤＣモータの選別を行う方法について、図５および図６を参照にしながら説明する。
【００３５】
スイッチ２０を数秒間押し続けると、電動ダンパ９を全閉にし、ＤＣモータ２に電圧調整手段１１より所定の電圧を印加する。そのときの回転数Ｎを、回転数検知手段１４より検知する。次に、電動ダンパ９を全開にしてＤＣモータ２に電圧調整手段１１より所定の電圧を印加する。そして、その回転数Ｍを回転数検知手段１４により検知する。このとき、回転数ＮがＮ１からＮ１’の間であり、同時に回転数ＭがＭ１からＭ１’の間であれば、ＤＣモータランクＡのＤＣモータであるとＤＣモータランク選別手段２１が判断し、ＤＣモータランク識別手段としてのＬＥＤ２２にＤＣモータランク情報を与え施工者はＤＣモータランクを認識できる。
【００３６】
同様に、回転数ＮがＮ１からＮ１’の間であり回転数ＭがＭ２からＭ２’の間であればＤＣモータランクＢのＤＣモータと選別し、回転数ＮがＮ４からＮ４’の間であり回転数ＭがＭ４からＭ４’の間であればＤＣモータランクＰとＤＣモータランク選別手段２１が判断し、ＤＣモータランク識別手段としてのＬＥＤ２２にＤＣモータランク情報を与える。さらに、回転数Ｎ、Ｍがどの回転数にもあてはまらないとき、もしくは回転数が０のときはＤＣモータが規格外品もしくは不良品であるとＤＣモータランク選別手段２１が判断し、ＤＣモータランク識別手段としてのＬＥＤ２２にその情報が与えられる。よって、施工者は、換気扇にダクトを接続した後でも、電動ダンパを全閉下状態でＤＣモータの良否が確認できるので、換気扇自体の良否を施行した状態で容易に確認することができる。
【００３７】
上記のように、ＤＣモータランクとは、ある幅をもった回転数による区分けをしたものである。
【００３８】
なお、上記の回転数Ｎの回転数の分類はＮ５〜Ｎ５’、Ｎ６〜Ｎ６’、等、また、回転数Ｍの回転数の分類はＭ５〜Ｍ５’、Ｍ６〜Ｍ６’、等、増加してもよく、回転数Ｎ、Ｍの分類を細かくすることでより細かくＤＣモータランクの選別を行うことができ、ＤＣモータの性能のばらつきに影響されることなく風量を制御することができる。
【００３９】
また、全閉と全開の２つの静圧条件において回転数Ｎ、Ｍを測定する利点は、図７に示すように、ＤＣモータ２によってトルクカーブがそれぞれ異なり、風量と静圧の関係（Ｐ−Ｑ曲線）が異なるからである。
【００４０】
例えば、全閉Ｐmaxの時、ＤＣモータＩとＤＣモータIIでは同じ風量Ｑであるが、全開
Ｐ0の時、ＤＣモータＩの風量はＱＩとＤＣモータIIの風量はＱIIとなり差異を生じる。
つまり、ＤＣモータランクを選別する時、ＤＣモータＩとＤＣモータIIは全閉においては
同じＤＣモータランクに分類されるが、全開では同じＤＣモータランクに分別されない。よって、ＤＣモータランクの選別時には２つの静圧条件においての回転数を測定することにより、より細かくＤＣモータを選別することができる。
【００４１】
なお、２つの静圧条件だけでなく３つ、４つ…の静圧条件においての回転数を測定するというように静圧条件を増加してもよく、より細かくＤＣモータランクの選別を行うことができ、トルクカーブの傾きに影響されることなく、風量を制御することができる。
【００４２】
（実施の形態４）
ＤＣモータランク算出手段について図８および図９を参照しながら説明する。
【００４３】
図８に示すように、ＤＣモータの印加電圧と回転数の関係は２次式で表すことができ、ＤＣモータランクＡの印加電圧と回転数のデータテーブルは、ｙ＝ａｘ2＋ｂｘ＋ｃ（ｙ：回転数、ｘ：印加電圧）で表される。また、ＤＣモータランクＢの印加電圧と回転数のデータテーブルは、ｙ＝ａ’ｘ2＋ｂ’ｘ＋ｃ’で表される。
【００４４】
ここで、ＤＣモータランクＡにはｙ＝ａｘ2＋ｂｘ＋ｃを満たす実際の数値のデータテーブルをＤＣモータランク算出手段２３に記憶させる。次に、ｙ＝ａ’ｘ2＋ｂ’ｘ＋ｃ’にＤＣモータランクＡと同様のｘ（印加電圧）を代入していくことで、ＤＣモータランクＢのｙ（回転数）が算出される。つまり、ＤＣモータランクごとの２次式だけを記憶すればよい。このＤＣモータランク算出手段２３備えることで、上記のようにテーブル記憶手段１５に２種類のデータテーブルを記憶するところを、１つのデータテーブルにすることができ、データテーブルの数を軽減することができる。よって、データテーブルに記憶するデータ数が少なくなり、結果として、記憶メモリ等の記憶媒体（メディア）を小型にして、換気扇の小型化にも寄与できる。また、記憶した２次式からＤＣモータのランク毎の回転数が算出できるので、これらをテーブルで記憶した場合より、きめ細かくＤＣモータのランクに対応することができ、精度の高い風量制御を行なうことができる。
【００４５】
なお、ＤＣモータランクとは、ある幅をもった回転数による区分けをしたものである。
【００４６】
なお、上記のＤＣモータランク算出手段２３はＤＣモータランクＣ，ＤＣモータランクＤ以降に使用してもよく、どの設定風量においても使用することができる。
【００４７】
（実施の形態５）
風量微調整手段について、図１０を参照しながら説明する。
【００４８】
風量微調整手段２４は、通常の設定風量と設定風量より１０ｍ3／ｈ多い風量（＋１０ｍ3／ｈモード）と設定風量より１０ｍ3／ｈ少ない（−１０ｍ3／ｈモード）風量の３つのモードを選択でき、＋１０ｍ3／ｈモードを選択すると、ＤＣモータランク選別手段２１および風量設定手段１８により選択される印加電圧と回転数のデータテーブルにおいて各印加電圧の回転数を一定量増加させるとにより設定風量より１０ｍ3／ｈ多い風量を実現する。同様に−１０ｍ3／ｈモードモードを選択すると、ＤＣモータランク選別手段２１および風量設定手段１８により選択される印加電圧と回転数のデータテーブルにおいて各印加電圧の回転数を一定量減少させるとにより設定風量より１０ｍ3／ｈ少ない風量を実現する。
【００４９】
上記の風量微調整手段２４により、実際に換気扇を取り付けた際の風量の誤差を補正したり、また、使用者の好みに即した風量を簡単に設定することができる。
【産業上の利用可能性】
【００５０】
本発明の換気扇の風量制御装置は、ＤＣモータの性能にばらつきがあっても、一定の風量に制御することが必要な送風装置分野等の用途にも適用できる。
【図面の簡単な説明】
【００５１】
【図１】本発明の実施の形態１の換気扇の風量制御装置の構成図
【図２】同ＤＣモータの選別方法のブロック図
【図３】同ＤＣモータランクと回転数Ｎを示す図
【図４】本発明の実施の形態２の風量一定制御のブロック図
【図５】本発明の実施の形態３のＤＣモータの選別方法のブロック図
【図６】同ＤＣモータランクと回転数Ｎ、Ｍを示す図
【図７】同風量と静圧の関係を表すグラフ
【図８】本発明の実施の形態４のＤＣモータランクによる印加電圧と回転数の関係を表すグラフ
【図９】同風量一定制御のブロック図
【図１０】本発明の実施の形態５の風量一定制御の別形態でのブロック図
【図１１】従来の換気扇の風量制御装置の斜視図
【符号の説明】
【００５２】
１    換気扇
２    ＤＣモータ
３    ファン
５    吸込口
６    ダクト
７    ダクト
８    排気口
９    電動ダンパ
１１  電圧調整手段
１２  電圧検知手段
１３  風量一定制御手段
１４  回転数検知手段
１５  テーブル記憶手段
１６  サーミスタ
１７  温度補正手段
１８  風量設定手段
１９  ダンパ角度調整手段
２０  スイッチ
２１  ＤＣモータランク選別手段
２２  ＬＥＤ
２３  ＤＣモータランク算出手段
２４  風量微調整手段
【図１】
0004797642.tif 000002
【図２】
0004797642.tif 000003
【図３】
0004797642.tif 000004
【図４】
0004797642.tif 000005
【図５】
0004797642.tif 000006
【図６】
0004797642.tif 000007
【図７】
0004797642.tif 000008
【図８】
0004797642.tif 000009
【図９】
0004797642.tif 000010
【図１０】
0004797642.tif 000011
【図１１】
0004797642.tif 000012